(57)【要約】【課題】液晶パネルが膨張して液晶パネルと液晶モジュールとが接触することを防止することができる構造を、装置を大型化することなく実現することができる液晶表示装置を備えた電子機器を提供する。【解決手段】液晶表示装置２９を備えた電子機器２０は、前記液晶表示装置２９が、液晶パネル３３と液晶モジュール３７、３８とを有し、前記液晶パネル３３は、前記液晶モジュール３７、３８の上面から離れる方向に反った形状を有して、前記液晶モジュール３７、３８の上方に設けられていることを特徴とする。【選択図】図６
2010015188.tif 000002
【特許請求の範囲】
【請求項１】
電子機器であって、
液晶パネルとバックライトアセンブリを有する液晶表示装置と、
前記液晶パネルと接触する液晶パネル接触部と、前記液晶パネル接触部に対して折曲形成されたホルダー接続部とを有するフレームと、
前記バックライトアセンブリの下部を支持する液晶モジュールホルダーと、
を有することを特徴とする電子機器。
【請求項２】
請求項１記載の電子機器であって、
前記液晶パネル接触部が前記液晶パネルの上面の両端部分に接し、前記ホルダー接続部が前記液晶モジュールホルダーに接続するように、前記フレームが設けられていることを特徴とする電子機器。
【請求項３】
請求項１または２記載の電子機器であって、
前記液晶パネル接触部が前記バックライトアセンブリと接する面は、前記液晶パネルの中央側の高さが、前記液晶パネルの外周側の高さよりも高い形状の面になっていることを特徴とする電子機器。
【請求項４】
請求項１または２記載の電子機器であって、
前記液晶パネルの下面であって前記バックライトアセンブリの略中央部分よりも外周側を支持する弾性体を更に備え、
前記弾性体の圧縮率は、前記フレームと前記液晶パネルが前記バックライトアセンブリの上面から離れる方向に反った形状を有するように設定されていることを特徴する電子機器。
【請求項５】
請求項１記載の電子機器であって、
前記液晶パネル接触部は、前記バックライトアセンブリの上面の両端部分に接し、
前記ホルダー接続部の長手方向の面における複数の箇所と、対応する前記液晶モジュールホルダーの複数の箇所とが嵌合接続されており、
前記ホルダー接続部の前記長手方向の面の略中央における嵌合接続は、前記ホルダー接続部の前記長手方向の面の端部側における嵌合接続よりも緩く設定されていることを特徴とする電子機器。
【発明の詳細な説明】
【技術分野】
【０００１】
本発明は、液晶表示装置を備えた電子機器に関し、より具体的には、液晶パネル及びバックライトアセンブリ等を有する液晶表示装置を備えた携帯情報端末等の電子機器に関する。
【背景技術】
【０００２】
液晶表示装置は、薄くて軽量であり、低電圧で駆動できて消費電力が小さいため、携帯電話機、ＰＤＡ（Ｐｅｒｓｏｎａｌ Ｄｉｇｉｔａｌ Ａｓｓｉｓｔａｎｔｓ）等の携帯情報端末、ノート型ＰＣ（パーソナルコンピュータ）等の携帯型ＰＣ、デスク型ＰＣ又はテレビ等の種々の電子機器の表示部に広く使用されている。
【０００３】
図１に、従来の液晶表示装置を備えた携帯電話機の正面図を示す。
【０００４】
図１に示す携帯電話機１０は、固定側ケース１と、この固定側ケース１にヒンジ２を介して開閉自在に連結された可動側ケース３とを備える。図１には、携帯電話機１０の可動側ケース３を開いた状態が示されている。
【０００５】
固定側ケース１は、扁平で略長方形状に形成されている。固定側ケース１の内側面４には、複数の押しボタン５、６及び７などが設けられている。また、可動側ケース３の内側面８には、液晶表示装置９等などが設けられている。
【０００６】
図２に、図１に示す液晶表示装置９の短手方向における断面図を示す。
【０００７】
図２に示すように、液晶表示装置９は、フロントケース１１と、リヤケース１２と、液晶（ＬＣＤ：Ｌｉｑｕｉｄ Ｃｒｙｓｔａｌ Ｄｉｓｐｌａｙ）パネル１３等を備える。
【０００８】
フロントケース１１は、例えば、樹脂又はマグネシウム合金等から成る成形品である。フロントケース１１の下面は、リヤケース１２の上端部と爪嵌合又は螺子留め等により接合されている。
【０００９】
フロントケース１１の上部には液晶パネル１３取り付け面１１ａが形成されており、液晶パネル取り付け面１１ａ上に、両面テープ１４を介して、例えばアクリル系ポリマーのポリメチルメタクリレート（ＰＭＭＡ）から成る液晶パネル１３が搭載されている。
【００１０】
図３に、図２において点線で囲んだ部分Ａを拡大して示す。図３に示すように、液晶パネル取り付け面１１ａは水平面に略平行な平坦面であり、液晶パネル１３の外周側部分が、両面テープ１４を介して液晶パネル取り付け面１１ａ上に固定されている。また、液晶パネル１３の端面と、フロントケース１１の上部の内側面との間には、寸法公差に起因する僅かな隙間を除き、間隙は形成されていない。
【００１１】
図２を再度参照するに、フロントケース１１の内側部分には、下面に基板１５が取り付けられた凹状の形状を有する液晶モジュールホルダー１６が設けられている。なお、基板１５には、チップコンデンサ等の電子部品が実装されているが、図２では、図示を省略している。液晶モジュールホルダー１６の凹部には、バックライトアセンブリ１７及び１８が重畳的に配設されている。
【００１２】
液晶モジュールホルダー１６の上縁面は、フロントケース１１の上部の下面に接しており、液晶モジュールホルダー１６は、フロントケース１１を支持している。また、バックライトアセンブリ１８の上縁部には、発泡ウレタンゴム製のクッション部材の防塵用パッキン１９が設けられており、当該防塵用パッキン１９は、液晶パネル１３の下面に接している。かかる構造により、バックライトアセンブリ１７及び１８に粉塵が付着することが防止される。
【００１３】
そのほか、光源をシャーシ又は反射部材のコーナー部に支持する光源支持部材を備え、リフレクタの一部がシャーシと光源支持部材との間に介在し、光源支持部材が、リフレクタの前面縁部の、導光板の前面と平行方向におけるシャーシとの間の相対移動を規制するバックライト及び液晶表示装置が提案されている（特許文献１参照）。
【先行技術文献】
【特許文献】
【００１４】
【特許文献１】特開２００４−１１１１５３号公報
【発明の概要】
【発明が解決しようとする課題】
【００１５】
しかしながら、図２に示す構造は、以下の問題を有する。
【００１６】
即ち、液晶パネル１３は、温度上昇や吸湿によって、図４（ａ）に矢印で示す方向に膨張しようとする。液晶パネル１３が吸湿に基づく膨張に因りより伸長する長さは、吸水率や板厚等に基づき定まるが、液晶パネル１３が、例えばアクリル系ポリマーのポリメチルメタクリレート（ＰＭＭＡ）から構成されて成る場合、吸水率は０．３％である。
【００１７】
一方、上述のように、液晶パネル１３の下面の外周部分は、両面テープ１４を介して液晶パネル取り付け面１１ａ上に固定されている。また、液晶パネル１３の端面と、フロントケース１１の上部の内側面との間には、寸法公差に起因する僅かな隙間を除き、間隙は形成されていない。
【００１８】
従って、液晶パネル１３は、温度上昇や吸湿によって膨張しようとするが、当該膨張に対応する水平方向（図４（ａ）に矢印で示す方向）の伸びは制限される。
【００１９】
その結果、図４（ｂ）に示すように、液晶パネル１３が、膨張した分、内側に（図４（ｂ）において下向きに）反ってしまい、液晶パネル１３の下面がバックライトアセンブリ１８の上面に接触（干渉）する場合がある。液晶パネル１３の下面がバックライトアセンブリ１８の上面に接触してしまうと、液晶パネル１３とバックライトアセンブリ１８との隙間に水滴が入り込んだように見えてしまう。その結果、液晶表示装置９の修理が余儀なくされる。
【００２０】
かかる問題に対応すべく、液晶パネル１３が膨張しても液晶パネル１３の下面とバックライトアセンブリ１８の上面とが接触しないよう、液晶パネル１３の下面とバックライトアセンブリ１８の上面との隙間を十分に大きくする態様が考えられる。しかしながら、かかる態様では、液晶表示装置９ひいては携帯電話機１０の装置の大型化を招いてしまう。
【００２１】
そこで、本発明は、上記の点に鑑みてなされたものであって、液晶パネルが膨張して液晶パネルとバックライトアセンブリとが接触することを防止することができる構造を、装置を大型化することなく実現することができる液晶表示装置を備えた電子機器を提供することを本発明の目的とする。
【課題を解決するための手段】
【００２２】
本発明の一観点によれば、電子機器であって、液晶パネルとバックライトアセンブリを有する液晶表示装置と、前記液晶パネルと接触する液晶パネル接触部と、前記液晶パネル接触部に対して折曲形成されたホルダー接続部とを有するフレームと、前記バックライトアセンブリの下部を支持する液晶モジュールホルダーと、を有することを特徴とする電子機器が提供される。
【００２３】
前記液晶パネル接触部が前記液晶パネルの上面の両端部分に接し、前記ホルダー接続部が前記液晶モジュールホルダーに接続するように、前記フレームが設けられていてもよい。
【００２４】
前記液晶パネル接触部が前記バックライトアセンブリと接する面は、前記液晶パネルの中央側の高さが、前記液晶パネルの外周側の高さよりも高い形状の面になっていてもよい。
【００２５】
前記液晶パネルの下面であって前記バックライトアセンブリの略中央部分よりも外周側を支持する弾性体を更に備え、前記弾性体の圧縮率は、前記フレームと前記液晶パネルが前記バックライトアセンブリの上面から離れる方向に反った形状を有するように設定されていてもよい。
【００２６】
前記液晶パネル接触部は、前記バックライトアセンブリの上面の両端部分に接し、前記ホルダー接続部の長手方向の面における複数の箇所と、対応する前記液晶モジュールホルダーの複数の箇所とが嵌合接続されており、前記ホルダー接続部の前記長手方向の面の略中央における嵌合接続は、前記ホルダー接続部の前記長手方向の面の端部側における嵌合接続よりも緩く設定されていてもよい。
【発明の効果】
【００２７】
本発明によれば、液晶パネルが膨張して液晶パネルとバックライトアセンブリとが接触することを防止することができる構造を、装置を大型化することなく実現することができる液晶表示装置を備えた電子機器を提供することができる。
【図面の簡単な説明】
【００２８】
【図１】従来の液晶表示装置を備えた携帯電話の正面図を示す。
【図２】図１に示す液晶表示装置の短手方向における断面図である。
【図３】図２において点線で囲んだ部分Ａを拡大して示す図である。
【図４】従来の液晶表示装置の問題点を説明するための断面図である。
【図５】本発明の第１の実施の形態に係る液晶表示装置を備えた携帯電話の斜視図を示す。
【図６】図５に示す液晶表示装置の短手方向における断面図である。
【図７】図６において点線で囲んだ部分Ａを拡大して示す図である。
【図８】図６に示す液晶パネルが膨張した状態を示す図である。
【図９】本発明の第２の実施の形態に係る液晶表示装置の断面図である。
【図１０】図９において点線で囲んだ部分Ａを拡大して示す図である。
【図１１】図９に示す液晶パネルが膨張した状態を示す図である。
【図１２】本発明の第３の実施の形態に係る液晶表示装置の断面図を示す。
【図１３】本発明の第４の実施の形態に係る液晶表示装置の分解斜視図である。
【図１４】図１３に示す液晶表示装置の長手方向の断面図である。
【図１５】図１３に示す液晶表示装置の長手方向の側面図である。
【図１６】図１３に示すフレームのホルダー接続部の穴部と、液晶モジュールホルダーの爪部との嵌合構造を示す図である。
【発明を実施するための形態】
【００２９】
以下、本発明の実施の形態について説明する。
【００３０】
１．本発明の第１の実施の形態
図５に、本発明の第１の実施の形態に係る液晶表示装置を備えた携帯電話機の斜視図を示す。
【００３１】
図５に示す携帯電話機２０は、固定側ケース２１と、この固定側ケース２１にヒンジ２２を介して開閉自在に連結された可動側ケース２３とを備える。図５には、携帯電話機２０の可動側ケース２３を開いた状態が示されている。
【００３２】
固定側ケース２１は、扁平で略長方形状に形成されている。固定側ケース２１の内側面２４には、複数の押しボタン２５、２６及び２７などが設けられている。また、可動側ケース２３の内側面２８には、液晶表示装置２９等などが設けられている。
【００３３】
図６に、図５に示す液晶表示装置２９の短手方向における断面図を示す。
【００３４】
図６に示すように、液晶表示装置２９は、フロントケース（ケース部）３１と、リヤケース３２と、液晶（ＬＣＤ：Ｌｉｑｕｉｄ Ｃｒｙｓｔａｌ Ｄｉｓｐｌａｙ）パネル３３等を備える。
【００３５】
フロントケース３１は、例えば、樹脂又はマグネシウム合金等から成る成形品である。フロントケース３１の下面は、リヤケース３２の上端部と爪嵌合又は螺子留め等により接合されている。
【００３６】
フロントケース３１の上部には液晶パネル取り付け面３１ａが形成されており、液晶パネル取り付け面３１ａ上に、両面テープ３４を介して、例えばアクリル系ポリマーのポリメチルメタクリレート（ＰＭＭＡ）から成る液晶パネル３３が搭載されている。
【００３７】
図７に、図６において点線で囲んだ部分Ａを拡大して示す。
【００３８】
図７に示すように、液晶パネル取り付け面３１ａは、液晶パネル３３の中央側の高さが、液晶パネル３３の外周側の高さよりも高い曲面であり、液晶パネル３３の外周側部分が、両面テープ３４を介して、かかる曲面となっている液晶パネル取り付け面３１ａ上に固定されている。従って、図６に示すように、液晶パネル３３は、その中央部分が凸になるような、即ち、液晶パネル３３の上方に反るような曲面形状を形成して設けられている。
【００３９】
なお、液晶パネル取り付け面３１ａは必ずしも曲面である必要はなく、液晶パネル３３の中央側の高さが、液晶パネル３３の外側の高さよりも低いテーパ面であってもよく、この場合も、液晶パネル３３は、その中央部分が凸になるような、即ち、液晶パネル３３の上方に反るような曲面形状を有する。
【００４０】
液晶パネル３３の端面と、フロントケース３１の上部の内側面との間には、寸法公差に起因する僅かな隙間を除き、間隙は形成されていない。
【００４１】
フロントケース３１の内側部分には、下面に基板３５が取り付けられた凹状の形状を有する液晶モジュールホルダー３６が設けられている。液晶モジュールホルダー３６は、例えば、ステンレス鋼（ＳＡＳ）から成る。但し、液晶モジュールホルダー３６の構成材料に特に制限はなく、樹脂又はマグネシウム合金等から成る成形品を液晶モジュールホルダー３６として用いてもよい。
【００４２】
なお、基板３５には、チップコンデンサ等の電子部品が実装されているが、図６では、図示を省略している。液晶モジュールホルダー３６の凹部には、バックライトアセンブリ３７及び３８が重畳的に配設されている。
【００４３】
液晶モジュールホルダー３６の上縁面は、フロントケース３１の上部に接しており、液晶モジュールホルダー３６は、フロントケース３１を支持している。また、バックライトアセンブリ３８の上縁部には、発泡ウレタンゴム等のクッション部材である防塵用パッキン３９が設けられており、当該防塵用パッキン３９は、液晶パネル３３の下面に接している。かかる構造により、バックライトアセンブリ３７及び３８に粉塵が付着することが防止される。
【００４４】
かかる構造の下、液晶パネル３３は、温度上昇や吸湿によって、図８（ａ）に矢印で示す方向に膨張しようとするが、上述のように、液晶パネル３３の下面の外周部分は、両面テープ３４で液晶パネル取り付け面３１ａ上に固定されているため、液晶パネル３３の水平方向（図８（ａ）に矢印で示す方向）の伸びは制限される。
【００４５】
また、上述のように、液晶パネル３３の中央側の高さが、液晶パネル３３の外側の高さよりも高い曲面が形成されており、液晶パネル３３は、あらかじめその中央部分が液晶パネル３３の上方に凸になるよう反った曲面形状を有している。従って、液晶パネル３３の下面とバックライトアセンブリ３８の上面とのクリアランスは十分に確保されており、よって、図８（ｂ）に示すように、液晶パネル３３の下面がバックライトアセンブリ３８の上面に接触（干渉）することを防止することができる。
【００４６】
また、液晶パネル３３は、あらかじめその中央部分が液晶パネル３３の上方に凸になるよう反った曲面形状を有しているため、膨張に因り上側に（図８（ｂ）において上向きに）反ることはあっても、下側に（図８（ｂ）において下向きに）反ることはない。即ち、液晶パネル３３の反りの方向は上方向（バックライトアセンブリ３８の上面から離れる方向）に限定され、よって、図８（ｂ）に示すように、液晶パネル３３の下面がバックライトアセンブリ３８の上面に接触（干渉）することを防止することができる。
【００４７】
このように、本例の構造によれば、液晶パネル３３の下面がバックライトアセンブリ３８の上面に接触（干渉）することは防止されるため、液晶パネル３３とバックライトアセンブリ３８との隙間に水滴が入り込んだように見えてしまう現象の発生を、液晶パネル３３の下面とバックライトアセンブリ３８の上面との隙間を大きくすることなく、防止することができる。
【００４８】
なお、図６には、液晶表示装置２９の短手方向の断面が示されているが、本構造を、液晶表示装置２９の長手方向に対しても適用することができる。
【００４９】
２．本発明の第２の実施の形態
図９に、本発明の第２の実施の形態に係る液晶表示装置４０の断面図を示す。図９において、図６に示した箇所と同じ箇所には同じ番号を付して、その詳細な説明を省略する。なお、図９では、基板３５の下方に位置するリヤケース３２（図６参照）の図示を省略している。
【００５０】
本発明の第１の実施の形態に係る液晶表示装置２９においては、フロントケース３１の上部に形成された液晶パネル取り付け面３１ａ上に、両面テープ３４を介して、液晶パネル３３が搭載されている。本発明の第２の実施の形態に係る液晶表示装置４０にあっては、フロントケース３１及び両面テープ３４を用いられず、略直角に折曲された板状部材であるフレーム４１が用いられている。
【００５１】
フレーム４１は、液晶パネル接触部４１ａと、液晶パネル接触部４１ａから延在形成され、液晶パネル接触部４１ａに対して略直角に折曲形成されたホルダー接続部４１ｂとから構成される。液晶パネル接触部４１ａは、液晶パネル３３の上面の両端部分及びその近傍上に位置している。ホルダー接続部４１ｂは、例えば、ホルダー接続部４１ｂに形成された穴部（図示を省略）と、液晶モジュールホルダー３６の対応する箇所に形成された爪部（図示を省略）との爪固定により、液晶モジュールホルダー３６に接続している。
【００５２】
図１０に、図９において点線で囲んだ部分Ａを拡大して示す。
【００５３】
図１０に示すように、液晶パネル接触部４１ａは、液晶パネル３３の中央側の箇所の位置が、液晶パネル３３の外周側の箇所の位置よりも高い曲面となっている。従って、液晶パネル３３の下面側から液晶パネル３３を支持する防塵用パッキン３９の、液晶パネル３３の下面からの反発力と相俟って、図９に示すように、液晶パネル３３は、その中央部分が凸になるように、即ち、液晶パネル３３の上方に反るような曲面形状を形成して設けられている。
【００５４】
このような構造を有するフレーム４１は、例えば、ステンレス鋼（ＳＡＳ）から成る。フレーム４１として、ステンレス鋼（ＳＡＳ）を用いた板状部材を用いることにより、装置全体の厚さが大きくなることを防止することができる。但し、フレーム４１の構成材料に特に制限はなく、樹脂又はマグネシウム合金等から成る成形品をフレーム４１として用いてもよい。また、当該フレーム４１の外側に、樹脂又はマグネシウム合金等から成る成形品を、外装ケースとして設けてもよい。
【００５５】
なお、液晶パネル３３の端面と、液晶パネル接触部４１ａの上部の内側面との間には、寸法公差に起因する僅かな隙間を除き、間隙は形成されていない。
【００５６】
かかる構造の下、液晶パネル３３は、温度上昇や吸湿によって、図１１（ａ）に矢印で示す方向に膨張しようとする。
【００５７】
しかしながら、上述のように、液晶パネル３３の中央側の高さが、液晶パネル３３の外側の高さよりも高い曲面が形成されており、液晶パネル３３は、あらかじめその中央部分が液晶パネル３３の上方に凸になるよう反った曲面形状を有している。従って、液晶パネル３３の下面とバックライトアセンブリ３８の上面とのクリアランスは十分に確保されており、よって、図１１（ｂ）に示すように、液晶パネル３３の下面がバックライトアセンブリ３８の上面に接触（干渉）することを防止することができる。
【００５８】
また、液晶パネル３３は、あらかじめその中央部分が液晶パネル３３の上方に凸になるよう反った曲面形状を有しているため、膨張に因り上側に（図１１（ｂ）において上向きに）反ることはあっても、下側に（図１１（ｂ）において下向きに）反ることはない。即ち、液晶パネル３３の反りの方向は上方向（バックライトアセンブリ３８の上面から離れる方向）に限定され、よって、図１１（ｂ）に示すように、液晶パネル３３の下面がバックライトアセンブリ３８の上面に接触（干渉）することを防止することができる。
【００５９】
このように、本例の構造においても、液晶パネル３３の下面がバックライトアセンブリ３８の上面に接触（干渉）することは防止されるため、液晶パネル３３とバックライトアセンブリ３８との隙間に水滴が入り込んだように見えてしまう現象の発生を、液晶パネル３３の下面とバックライトアセンブリ３８の上面との隙間を大きくすることなく、防止することができる。
【００６０】
なお、図８には、液晶表示装置４０の短手方向の断面が示されているが、本構造を、液晶表示装置４０の長手方向に対しても適用することができる。
【００６１】
また、上述の例では、液晶パネル接触部４１ａは、液晶パネル３３の中央側の箇所の位置が、液晶パネル３３の外周側の箇所の位置よりも高い曲面となっている例を説明したが、必ずしも曲面である必要はなく、液晶パネル接触部４１ａは、液晶パネル３３の中央側の箇所の位置が、液晶パネル３３の外周側の箇所の位置よりも低いテーパ面であってもよい。
【００６２】
３．本発明の第３の実施の形態
図１２に、本発明の第３の実施の形態に係る液晶表示装置５０の断面図を示す。図１２において、図９に示した箇所と同じ箇所には同じ番号を付して、その詳細な説明を省略する。なお、図１２においても、図９と同様に、基板３５の下方に位置するリヤケース３２（図６参照）の図示を省略している。
【００６３】
本発明の第２の実施の形態に係る液晶表示装置４０においては、フレーム４１（図９参照）の液晶パネル接触部４１ａは、液晶パネル３３の中央側の箇所の位置が、液晶パネル３３の外周側の箇所の位置よりも高い曲面となっている。本発明の第３の実施の形態に係る液晶表示装置５０にあっては、フレーム５１の液晶パネル接触部５１ａは水平面に略平行な平坦面となっている。また、液晶パネル３３の下面から液晶パネル３３を支持する防塵用パッキン４９の圧縮率が、例えば５０％以上等、図２に示す従来の構造における防塵用パッキン１９の圧縮率よりも高値に設定されている。
【００６４】
液晶パネル３３の下面から液晶パネル３３を支持する防塵用パッキン４９の圧縮率、即ち、反発力が高値に設定されているため、液晶パネル３３は、液晶パネル３３の上方から液晶パネル接触部５１ａが接触しているフレーム５１と共に、その中央部分が液晶パネル３３の上方に凸になるよう反った曲面形状を有している。換言すれば、防塵用パッキン４９の圧縮率は、フレーム５１の構造又は板厚等を勘案した計算により定まるものの、フレーム５１と共に液晶パネル３３の中央部分が液晶パネル３３の上方に凸になるよう反った曲面形状を有するように、設定されている。
【００６５】
かかる構造の下、液晶パネル３３は、温度上昇や吸湿によって、水平方向に膨張しようとする。
【００６６】
しかしながら、上述のように、液晶パネル３３は、液晶パネル３３の上方から液晶パネル接触部５１ａが接触しているフレーム５１と共にその中央部分が液晶パネル３３の上方に凸になるよう反った曲面形状を有しているため、液晶パネル３３の下面とバックライトアセンブリ３８の上面とのクリアランスは十分に確保されており、よって、液晶パネル３３の下面がバックライトアセンブリ３８の上面に接触（干渉）することを防止することができる。
【００６７】
また、液晶パネル３３は、防塵用パッキン４９に因り、その中央部分が液晶パネル３３の上方に凸になるよう反った曲面形状を有するように設けられているため、膨張に因り上側に（図１２において上向きに）反ることはあっても、下側に（図１２において下向きに）反ることはない。即ち、液晶パネル３３の反りの方向は上方向（バックライトアセンブリ３８の上面から離れる方向）に限定され、よって、液晶パネル３３の下面がバックライトアセンブリ３８の上面に接触（干渉）することを防止することができる。
【００６８】
このように、本例の構造においても、液晶パネル３３の下面がバックライトアセンブリ３８の上面に接触（干渉）することは防止されるため、液晶パネル３３とバックライトアセンブリ３８との隙間に水滴が入り込んだように見えてしまう現象の発生を、液晶パネル３３の下面とバックライトアセンブリ３８の上面との隙間を大きくすることなく、防止することができる。
【００６９】
なお、図１２には、液晶表示装置５０の短手方向の断面が示されているが、本構造を、液晶表示装置５０の長手方向に対しても適用することができる。
【００７０】
４．本発明の第４の実施の形態
図１３に、本発明の第４の実施の形態に係る液晶表示装置６０の分解斜視図を示す。また、図１４に、かかる液晶表示装置６０の長手方向の断面図を示す。図１５に、かかる液晶表示装置６０の長手方向の側面図を示す。図１３乃至図１５において、図９に示した箇所と同じ箇所には同じ番号を付して、その詳細な説明を省略する。
【００７１】
フレーム４１のホルダー接続部４１ｂの長手方向の面の３箇所に穴部６１が形成されており、液晶モジュールホルダー３６の側面の対応する箇所に爪部６５が形成されている。フレーム４１のホルダー接続部４１ｂの穴部６１と、液晶モジュールホルダー３６の爪部６５とが嵌合して成る爪固定により、フレーム４１のホルダー接続部４１ｂと、液晶モジュールホルダー３６とは接続されている。
【００７２】
図１６に、フレーム４１のホルダー接続部４１ｂの穴部６１と、液晶モジュールホルダー３６の爪部６５との嵌合構造を示す。より具体的には、図１６（ａ）は、ホルダー接続部４１ｂの長手方向の面の略中央に設けられた穴部６１−１と、これに対応する液晶モジュールホルダー３６の爪部６５−１との嵌合構造を示し、図１６（ｂ）は、ホルダー接続部４１ｂの長手方向の面の端部側に形成された穴部６１−２と、これに対応する液晶モジュールホルダー３６の爪部６５−２との嵌合構造を示す。図１６（ｃ）は、フレーム４１が、その長手方向の中央部分が凸になるように反った状態における穴部６１−１と爪部６５−１とを示す。
【００７３】
図１６（ａ）及び図１６（ｂ）から明らかなように、ホルダー接続部４１ｂの長手方向の面の略中央に設けられた穴部６１−１は、ホルダー接続部４１ｂの長手方向の面の端部側に形成された穴部６１−２よりも大きく形成されており、よって、ホルダー接続部４１ｂの長手方向の面の略中央に設けられた穴部６１−１とこれに対応する液晶モジュールホルダー３６の爪部６５−１との嵌合構造（図１６（ａ）参照）は、ホルダー接続部４１ｂの長手方向の面の端部側に形成された穴部６１−２と、これに対応する液晶モジュールホルダー３６の爪部６５−２との嵌合構造（図１６（ｂ））よりも緩く設定されている。
【００７４】
従って、液晶パネル３３の下面から液晶パネル３３を支持する防塵用パッキン３９の、液晶パネル３３の下面からの反発力（圧縮率）により、図１５及び図１６（ｃ）に示すように、フレーム４１は、その長手方向の中央部分が凸になるように反った曲面形状を形成して設けられており、当該フレーム４１の液晶パネル接触部４１ａが上方から接している液晶パネル３３は、その中央部分が凸になるように反った曲面形状を形成している。
【００７５】
よって、液晶パネル３３の下面の略中央部分とバックライトアセンブリ３８の上面とのクリアランスは十分に確保されており、液晶パネル３３の下面がバックライトアセンブリ３８の上面に接触（干渉）することを防止することができる。
【００７６】
また、液晶パネル３３は、あらかじめその中央部分が液晶パネル３３の上方に凸になるよう反った曲面形状を有しているため、膨張に因り上側に（図１５において左向きに）反ることはあっても、下側に（図１５において右向きに）反ることはない。即ち、液晶パネル３３の反りの方向は上方向（バックライトアセンブリ３８の上面から離れる方向）に限定され、よって、液晶パネル３３の下面がバックライトアセンブリ３８の上面に接触（干渉）することを防止することができる。
【００７７】
このように、本例の構造においても、液晶パネル３３の下面がバックライトアセンブリ３８の上面に接触（干渉）することは防止されるため、液晶パネル３３とバックライトアセンブリ３８との隙間に水滴が入り込んだように見えてしまう現象の発生を、液晶パネル３３の下面とバックライトアセンブリ３８の上面との隙間を大きくすることなく、防止することができる。
【００７８】
以上、本発明の実施の形態について詳述したが、本発明は特定の実施形態に限定されるものではなく、特許請求の範囲に記載された本発明の要旨の範囲内において、種々の変形及び変更が可能である。
【００７９】
例えば、上述の各実施の形態においては、携帯電話機における液晶表示装置を例に本発明を説明したが、ＰＤＡ（Ｐｅｒｓｏｎａｌ Ｄｉｇｉｔａｌ Ａｓｓｉｓｔａｎｔｓ）等の携帯情報端末、ノート型ＰＣ（パーソナルコンピュータ）等の携帯型ＰＣ、デスク型ＰＣ又はテレビ等の他の電子機器の液晶表示装置に対しても本発明を適用することができる。
【００８０】
以上の説明に関し、更に以下の項を開示する。
（付記１）
液晶表示装置を備えた電子機器であって、
前記液晶表示装置は、液晶パネルとバックライトアセンブリとを有し、
前記液晶パネルは、前記バックライトアセンブリの上面から離れる方向に反った形状を有して、前記バックライトアセンブリの上方に設けられていることを特徴とする電子機器。
（付記２）
付記１記載の電子機器であって、
前記液晶パネルは、前記液晶パネルの略中央部分が凸状に反った形状を有することを特徴とする電子機器。
（付記３）
付記１又は２記載の電子機器であって、
前記液晶パネルの両端部分は、前記液晶パネルの下面を支持するケース部の液晶パネル取り付け面上に固定され、
前記液晶パネル取り付け面は、前記液晶パネルの中央側の高さが、前記液晶パネルの外周側の高さよりも低い形状の面になっていることを特徴とする電子機器。
（付記４）
付記３記載の電子機器であって、
前記液晶パネル取り付け面は、前記液晶パネルの中央側の高さが、前記液晶パネルの外周側の高さよりも高い曲面になっていることを特徴とする電子機器。
（付記５）
付記３記載の電子機器であって、
前記液晶パネル取り付け面は、前記液晶パネルの中央側の高さが、前記液晶パネルの外周側の高さよりも低いテーパ面であることを特徴とする電子機器。
（付記６）
付記１又は２記載の電子機器であって、
液晶パネル接触部と、前記液晶パネル接触部に対して折曲形成されたホルダー接続部と、を有するフレームと、
前記バックライトアセンブリの下部を支持する液晶モジュールホルダーと、を備え、
前記液晶パネル接触部が前記液晶パネルの上面の両端部分に接し、前記ホルダー接続部が前記液晶モジュールホルダーに接続するように、前記フレームは設けられ、
前記液晶パネル接触部が前記バックライトアセンブリと接する面は、前記液晶パネルの中央側の高さが、前記液晶パネルの外周側の高さよりも低い形状の面になっていることを特徴とする電子機器。
（付記７）
付記６記載の電子機器であって、
前記液晶パネルの下面であって前記バックライトアセンブリの略中央部分よりも外周側を支持する弾性体を備えることを特徴とする電子機器。
（付記８）
付記６又は７記載の電子機器であって、
前記液晶パネル接触部が前記バックライトアセンブリと接する面は、前記液晶パネルの中央側の高さが、前記液晶パネルの外周側の高さよりも高い曲面になっていることを特徴とする電子機器。
（付記９）
付記６又は７記載の電子機器であって、
前記液晶パネル接触部が前記バックライトアセンブリと接する面は、前記液晶パネルの中央側の高さが、前記液晶パネルの外周側の高さよりも低いテーパ面になっていることを特徴とする電子機器。
（付記１０）
付記１又は２記載の電子機器であって、
液晶パネル接触部と、前記液晶パネル接触部に対して折曲形成されたホルダー接続部と、を有するフレームと、
前記バックライトアセンブリの下部を支持する液晶モジュールホルダーと、
前記液晶パネルの下面であって前記バックライトアセンブリの略中央部分よりも外周側を支持する弾性体と、を備え、
前記液晶パネル接触部が前記液晶パネルの上面の両端部分に接し、前記ホルダー接続部が前記液晶モジュールホルダーに接続するように、前記フレームは設けられ、
前記弾性体の圧縮率は、前記フレームと前記液晶パネルが前記バックライトアセンブリの上面から離れる方向に反った形状を有するように設定されていることを特徴する電子機器。
（付記１１）
付記１又は２記載の電子機器であって、
液晶パネル接触部と、前記液晶パネル接触部に対して折曲形成されたホルダー接続部と、を有するフレームと、
前記バックライトアセンブリの下部を支持する液晶モジュールホルダーと、を備え、
前記液晶パネル接触部は、前記液晶パネルの上面の両端部分に接し、
前記ホルダー接続部の長手方向の面における複数の箇所と、対応する前記液晶モジュールホルダーの複数の箇所とが嵌合接続されており、
前記ホルダー接続部の前記長手方向の面の略中央における嵌合接続は、前記ホルダー接続部の前記長手方向の面の端部側における嵌合接続よりも緩く設定されていることを特徴とする電子機器。
（付記１２）
付記１１記載の電子機器であって、
前記液晶パネルの下面であって前記バックライトアセンブリの略中央部分よりも外周側を支持する弾性体を備えることを特徴とする電子機器。
（付記１３）
付記１乃至１２いずれか一項記載の電子機器であって、
当該電子機器は、携帯情報端末であることを特徴とする電子機器。
【符号の説明】
【００８１】
２０ 携帯電話機
２９、４０、５０、６０ 液晶表示装置
３１ フロントケース
３１ａ 液晶パネル取り付け面
３３ 液晶パネル
３６ 液晶モジュールホルダー
３７、３８ バックライトアセンブリ
３９、４９ 防塵用パッキン
４１、５１ フレーム
４１ａ、５１ａ 液晶パネル接触部
４１ｂ、５１ｂ 液晶モジュールホルダー接続部
【図１】
2010015188.tif 000003
【図２】
2010015188.tif 000004
【図３】
2010015188.tif 000005
【図４】
2010015188.tif 000006
【図６】
2010015188.tif 000007
【図７】
2010015188.tif 000008
【図８】
2010015188.tif 000009
【図９】
2010015188.tif 000010
【図１０】
2010015188.tif 000011
【図１１】
2010015188.tif 000012
【図１２】
2010015188.tif 000013
【図１４】
2010015188.tif 000014
【図１５】
2010015188.tif 000015
【図１６】
2010015188.tif 000016
【図５】
2010015188.tif 000017
【図１３】
2010015188.tif 000018